(57)【特許請求の範囲】
【請求項１】
重ね合わせると所望の情報として復号・認識され得る暗号化情報を内在する情報記録媒体であり、基材上の一部には位置を離して配置してある複数の暗号化情報形成部に暗号化情報がそれぞれ形成してあると共に、これらの暗号化情報形成部の間には基材を分離するための分離部が形成してあり、かつ基材の同一面上の他の部分には、複写による忠実な再現が困難な線の集合からなる潜像を少なくとも有する検証パターンと一定方向を向いた複数の線からなる万線とが前記分離部を挟んで形成してなり、前記分離部で基材を分離した後、分離した基材同士を重ね合わせると、暗号化情報形成部においては所望の情報が復号され、かつ検証パターンを設けた検証部からは潜像が顕現することを特徴とする暗号化情報を有する情報記録媒体。
【請求項２】
所望の情報の復号化に際して上部に位置させる方の暗号情報形成部は、その下部に位置させる暗号化情報形成部の暗号化情報が確認できる程度の透明性を有することを特徴とする請求項１に記載の暗号化情報を有する情報記録媒体。
【請求項３】
所望の情報の復号化に際して下部に位置させる方の暗号化情報形成部は白色の隠蔽層上に設けてあることを特徴とする請求項１または請求項２に記載の暗号化情報を有する情報記録媒体。
【請求項４】
前記検証パターンは潜像と非潜像パターンとが組み合わされてなり、それぞれは長短の線および／または角度の異なる線或いはそれらの組み合わせにて構成されていることを特徴とする請求項１ないし請求項３のいずれか１項に記載の暗号化情報を有する情報記録媒体。
【請求項５】
前記万線は、同一幅で同一間隔の線の集合からなることを特徴とする請求項１に記載の暗号化情報を有する情報記録媒体。
【請求項６】
前記検証部および万線の形成箇所のどちらか一方は、前記分離部で基材を分離した後、分離した基材同士を重ねて検証部から潜像を顕現させる際に、潜像が顕現できる程度の透明性を有することを特徴とする請求項１ないし請求項５のいずれか１項に記載の暗号化情報を有する情報記録媒体。
【請求項７】
分離した基材同士を重ね合わせて前記検証部から潜像を顕現させる際に下部に位置させる基材上に形成してある検証パターンまたは万線のいずれかは白色の隠蔽層上に設けてあることを特徴とする請求項１ないし請求項６のいずれか１項に記載の暗号化情報を有する情報記録媒体。
【発明の詳細な説明】
【０００１】
【発明の属する技術分野】
本発明は、抽選情報、個人情報等の関係者以外には知られたくない情報が暗号化して記録してあると共に、複写により忠実な再現ができない潜像を有する検証パターンを検証部に設けてなる抽選券、個人情報記録カード等の情報記録媒体に関する。
【０００２】
【従来の技術】
従来から、くじ、印鑑証明書等の個部情報が記録してある情報記録媒体には、複写物が容易に得られないようにするための対策や所望の光線を照射しないと情報が認識できないようにした対策等が偽造防止や改ざん防止の観点から種々講じられており、様々な分野で利用されている。
これらの諸対策の中には、複写機を利用した不正な複写や偽造への対策がある。一例として、所定の情報を暗号化しかつ分離しておき、しかもこの分離したそれぞれの暗号化情報を複写しても忠実に再現できないように淡色の情報記録材料で記録する方法がある。しかし、この方法では、暗号化情報が淡色であるため、それぞれの暗号化情報を重ね合わせて復号しようとしたときに顕現する情報が非常に認知しにくいという欠点がある。
また、所望の情報を復号させるとき、周辺に施してあるトンボ等のガイドで見当合を合わせることになるが、ガイドの色が淡いために見当合わせが難しいという欠点もある。さらには、カラーコピー機で複写物をとる場合、感度調整が標準の条件での複写であると、複写物は本物より淡く複写されてしまい複写されたものであることが分かってしまうが、複写機の感度を上げて複写を行うと全体的に濃い色に再現されしまうものの、本物に非常に近いものに再現されてしまい、複写物が本物と認識されて流通されてしまう危険性もあった。
また、複写機を使用した不正な複写や偽造への他の対策として、暗号化し、かつ分離してなる複数の暗号化情報を構成する画素のサイズを複写機が再現可能なサイズよりも小さいものとし、その集合体である暗号化情報が複写再現できないようにした技術もある。しかし、このような技術においては、暗号化情報を構成する画素が非常に小さいため、それらの集合体である暗号化情報の色が全体に薄くなり、分離して設けてある暗号化情報を見当を合わせて重ねたときに復号されるであろう情報の認知が非常にしにくい欠点がある。
【０００３】
【発明が解決しようとする課題】
本発明は、以上のような事情に鑑みなされたものであり、関係者以外には知られたくない情報を暗号化して内在させることにより、関係者が必要としたときには簡便に情報の復号ができてその情報内容が容易に目視で確認できるようにすると共に、複写による忠実な再現が困難な潜像を有する検証パターンをその一部に設けることにより、複写による不正な使用ができないようにも配慮した暗号化情報を有する情報記録媒体の提供を目的とする。
【０００４】
【課題を解決するための手段】
本発明は、上述の目的を達成するためになされたものであり、請求項１に記載の発明は、重ね合わせると所望の情報として復号・認識され得る暗号化情報を内在する情報記録媒体であり、基材上の一部には位置を離して配置してある複数の暗号化情報形成部に暗号化情報がそれぞれ形成してあると共に、これらの暗号化情報形成部の間には基材を分離するための分離部が形成してあり、かつ基材の同一面上の他の部分には、複写による忠実な再現が困難な線の集合からなる潜像を少なくとも有する検証パターンと一定方向を向いた複数の線からなるとが前記分離部を挟んで形成してなり、前記分離部で基材を分離した後、分離した基材同士を重ね合わせると、暗号化情報形成部においては所望の情報が復号され、かつ検証パターンを設けた検証部からは潜像が顕現することを特徴とする暗号化情報を有する情報記録媒体である。
【０００５】
また、請求項２に記載の発明は、請求項１に記載の暗号化情報を有する情報記録媒体において、所望の情報の復号化に際して上方に位置させる方の暗号情報形成部は、その下部に位置させる暗号化情報形成部の暗号化情報が確認できる程度の透明性を有することを特徴とする。
【０００６】
さらにまた、請求項３に記載の発明は、請求項１または請求項２に記載の暗号化情報を有する情報記録媒体において、所望の情報の復号化に際して下部に位置させる方の暗号化情報形成部は白色の隠蔽層上に設けてあることを特徴とする。
【０００７】
さらにまた、請求項４に記載の発明は、請求項１ないし請求項３のいずれか１項に記載の暗号化情報を有する情報記録媒体において、前記検証パターンは潜像と非潜像パターンとが組み合わされてなり、それぞれは長短の線および／または角度の異なる線或いはそれらの組み合わせにて構成されていることを特徴とする。
【０００８】
さらにまた、請求項５に記載の発明は、請求項１に記載の暗号化情報を有する情報記録媒体において、前記万線は、同一幅で同一間隔の線の集合からなることを特徴とする。
【０００９】
さらにまた、請求項６に記載の発明は、請求項１ないし請求項６のいずれか１項に記載の暗号化情報を有する情報記録媒体において、前記検証部および万線の形成箇所のどちらか一方は、前記分離部で分離した後、分離した基材同士を重ねて検証部から潜像を顕現させる際に、潜像が顕現できる程度の透明性を有することを特徴とする。
【００１０】
さらにまた、請求項７に記載の発明は、請求項１ないし請求項６のいずれか１項に記載の暗号化情報を有する情報記録媒体において、分離した基材を重ね合わせて前記検証部から潜像を顕現させる際に下部に位置させる基材上に形成してある検証パターンまたは万線のいずれかは白色の隠蔽層上に設けてあることを特徴とする。
【００１１】
【発明の実施の形態】
次に、本発明の実施の形態を説明するが、本発明はこれらに限定されるものではない。
【００１２】
図１には本発明の一実施形態による暗号化情報を有する情報記録媒体１の概略が示してある。
また、図２には図１に示す情報記録媒体１に内在する暗号化情報により所望の情報１２を復号するときの様子が示してある。
一方、図３は暗号化情報による復号の原理を示すもので、暗号化情報形成部３、４のそれぞれに設けた暗号化情報８、９とこれらの暗号化情報の重ね合わせによる情報１2の復号の様子が示してある。
【００１３】
情報記録媒体１は重ね合わせると所望の情報１２が復号・認識され得る暗号化情報８、９を内在しており、基本的には、まず、基材２上の一部に位置を離して配置してある暗号化情報形成部３、４のそれぞれに、重ね合わせると所望の情報１２が復号・認識され得る暗号化情報８、９が形成してあると共に、これらの暗号化情報形成部３、４が分離できるように、分離部７が形成してある。そして、基材２上の他の部分には複写機による忠実な再現が困難な潜像を有する検証パターンが設けてある検証部５と万線６が形成してある。（図１ないし図３参照）
【００１４】
暗号化情報8と暗号化情報9は、図３に示すように、暗号化情報形成部３と暗号化情報形成部４のそれぞれに形成してある。これらの暗号化情報３、４とその周辺部には、この例では、情報の内容が一見して認識できないように地紋、細紋等の迷彩情報１０、１１が施してある。図３においては、拡大して模式的に表現してあるため、それぞれの暗号化情報３、４の内容を分かるように描いているが、実際に作成されるくじ等においては、例えば、迷彩情報を構成する細紋の個々のドットを網点換算で２００乃至３００ｄｐｉ程度とし、迷彩情報ならびに暗号化情報の色相、明度、彩度等を適宜組み合わせて構成するため、それぞれの暗号化情報形成部においては図１や図２のＡに示すように暗号化情報は目視では認識されない。
【００１５】
このような構成の暗号化情報を有する情報記録媒体において所望の情報を復号させるときには、図２に示すように、まず分離部７により基材２を分離し（図２のＡ参照）、次に分離した一方の基材２ａをもう一方の基材２ｂに見当を合わせて重ね合わせればよい。そうすると、図２のＢや図３に示すように、「ＥＢ」という所期の情報１2が復号され、認識されるようになる。
【００１６】
図示の例においては、たとえ暗号化情報の一部が認識されたとしても、必要とされる情報は暗号化情報８、９を重ね合わせた時のみにその内容が認識されるようにしてあるため、特に問題は発生しない。すなわち、図３に示す例では、暗号化情報形成部８、９はくじの抽選情報の形成部分の一部となっており、たとえ暗号化情報形成部３、４に形成してある「三」、「３」と「１」、「１」らしき情報が分かってしまったとしても、何ら問題はない。このくじにおける真の抽選情報は、図２のＢや図３に示すように、暗号化情報形成部３に暗号化情報形成部４を見当を合わせて重ね合わせた時に復号され、認識される「ＥＢ」だからである。
【００１７】
もし、このような仕組みがあるだろうと予想した者が抽選情報を抽選前に知るべく、暗号化情報形成部同士を重ね合わせような不正行為を行う場合には、まず分離部７で基材の一部を分離させなければならない。分離部７はその部分で基材を分離させると再び元の一体化した状態に戻すことはできないため、上述のような不正行為がなされた場合には、その行為は容易に発見できることになる。
【００１８】
従って、暗号化情報形成部３、４はそこに形成してある暗号化情報８、９による復号が基材２を分離部７で分離してからでないとできないような位置に配置してある。
【００１９】
本発明においては、さらに基材２の他の一部に複写機等で複写しても忠実な再現ができないようにした潜像１３を含んだ検証パターン１４が検証部５にが形成してある。図4は検証パターン１４を構成する潜像１３と非潜像パターン１５の状態を模式的に示している。検証パターン１４中の潜像１３は、実際にくじ等において形成される場合は、目視しても多数の線が見えるだけでその内容を認識することはできないようになっている。
【００２０】
検証パターン１４から潜像１３を顕現させるときには、図２に示すように、まず分離部７により基材２を分離し（図２のＡ参照）、次に分離した一方の基材２ａをもう一方の基材２ｂに見当を合わせて重ね合わせればよい。そうすると、図２のＢ示すように、「○」という所期の潜像１３が顕現し、認識されるようになる。
【００２１】
さらに検証パターン１４中に隠蔽されている潜像１３を顕現する仕組みを図５ないし図６で説明する。
まず、検証部５に形成された検証パターン１４の潜像１３と非潜像パターン１５は、図４のＡ部を拡大した図５が示すように、基本的には同じ幅と同一ピッチの線からなるが、潜像１３または非潜像パターン１５のどちらか一方が半ピッチずれた位置にある。すなわち図5が示すように、潜像１３の黒い線のそれぞれは両側の非潜像パターン１５の黒い線のそれぞれの間に配置してある。これらの線は、複写機で忠実な再現できない程度の細い線幅とする。
次に、万線６を検証部パターン５に重ね合わせると、潜像が顕現する仕組みを図６により説明する。図６は万線６と検証パターン１４の部分拡大図である。図が示すように万線６を検証部パターン１４に重ねると、万線６の線が潜像１３の部分では白い部分（黒い線と線の間）に、また非潜像パターン１５の部分では、非潜像パターン１５の黒い部分（黒い線の上）に重なって位置する。そのため万線６の線と潜像１３の線が、この図では天地方向につながり、相対的に黒っぽくなる。一方、非潜像パターン１５の部分では万線６が非潜像パターン１５の線と重なり、白い部分は残るため白っぽくなり、潜像１３の部分は非潜像パターン１５と比較して黒っぽいので、非潜像パターン１５とのコントラストがつき、潜像１３が顕現し、認識できる。具体的には、図２（Ｂ）がに示すように、「○」という潜像が顕現し、情報記録媒体が本物であることが分かる。一方、本物の情報記録媒体から複写された複写物は検証パターン、特に潜像が忠実に再現されないので、そこに万線を重ねても潜像が顕現しないため、偽物であることが立所に判明する。
なお、暗号化情報形成部と検証部、万線は、前述したように分離した基材を重ねたときにのみ、暗号化情報と潜像がはっきり復号または顕現するような位置関係に設計し配置してある。
【００２２】
また、検証パターンの潜像と非潜像パターンは、前述したもののほか、それぞれの線の長短や角度を変えて構成したものであってもよい。但し、その際には万線もそれを検証パターンに重ね合わせたときに潜像が顕現するように線の角度等を変える必要がある。
【００２３】
前記した基材2の材料としては、透明もしくは半透明のポリエステル、塩化ビニル、ポリプロピレン等から成るプラスチックフィルム、あるいは、トレーシングペーパーなどの透明性を有する紙、さらには暗号情報形成部、検証パターンの形成部、万線の形成部等が少なくとも透明性を有するようになっている基材等が適用され得る。その厚さは５０〜２００ミクロンメートル程度で、適度の剛性と折り曲げ特性を持つものである。
【００２４】
また、暗号化情報８と暗号化情報９および検証パターン１４には、その上か周辺に、それらの存在および内容をより分からなくするように、地紋や細紋等の微細構成子から成る迷彩情報１０、１１を必要ならば設けておけばよい。また、これらの各情報やパターンを形成する情報記録材料や情報の記録方法は特に限定されるものではなく、たとえば印刷インキや感熱記録インキ等の情報記録材料や、オフセット印刷、シルク印刷、グラビア印刷、感熱記録等の汎用の情報形成手段から適宜なものを選択すればよい。
【００２５】
さらに、暗号化情報および検証パターン、万線の記録に際しては、暗号化情報は黒色とし、所望の情報を復号させる際に下部に位置させる暗号化情報は白色の隠蔽層上に設けておくことが好ましい。このような構成にしておくと、復号された情報が高いコントラストでより明確に認識できるようになる。
【００２６】
また、所望暗号化情報の復号や検証部での潜像の顕現がより明瞭に認識できるよう、前記分離部で分離された基材の中、下部に位置させる基材は反射率の高い材料で形成するようにしてもよい。
【００２７】
さらにまた、所望の情報の復号および検証部での潜像の顕現の際の基材の重ね合わせ順は特に限定されるものではない。従って、前記した隠蔽層や反射率の高い材料への暗号化情報形成部や検証パターンまたは万線の形成は、暗号化情報の復号および検証部での潜像の顕現の際の基材同士の重ね合わせ順を考慮して適宜選択すればよい。
【００２８】
【発明の効果】
本発明は以上であるので、基材の一部を分離し、暗号化情報形成部同士や検証パターンと万線を見当をあわせて重ね合わせるだけの簡単な操作で暗号化情報の復号と潜像の顕現が可能となる。そして、検証パターン中の潜像が顕現することを確認することにより情報記録媒体の真偽判定が可能となる。また、検証パターンは、複写機では忠実な再現ができない細い線の集合からできているため、複写物上では線が薄くなったり、線の形が崩れてしまうためにそこに万線を重ねても潜像が顕現せず、偽造品であることが容易に判断できる。
さらに、情報の復号に際しては基材を分離しなければならないようにしてあるため、前記したような不正行為を働いたときには、不正行為を容易に発見できる。
さらにまた、忠実な複写を困難にさせる部分と暗号化情報を復号させる部分とを分離させたため、暗号化情報の一部を淡色で形成したり、複写機で再現できない大きさや太さの微細構成子や細線で形成した従来のこの種の情報記録媒体と較べ、情報復号時の見当合わせがし易くなると共に、復号情報がはっきりと認知されるようになる。
【図面の簡単な説明】
【図１】本発明の一実施形態による説明図である。
【図２】情報記録媒体に内在する暗号化情報の復号および検証パターンからの潜像の顕現化を図るときの状態と復号された情報と顕現した潜像を示す説明図である。
【図３】暗号化情報形成部のそれぞれに設けた暗号化情報とこれらの暗号化情報による復号の状況を示す説明図である。
【図４】検証パターンを構成する潜像と非潜像パターンの形成状態の説明図である。
【図５】検証パターンの構成を示す部分拡大説明図である。
【図６】検証パターンから潜像が顕現される仕組みを示す説明図である。
【符号の説明】
１                情報記録媒体
２、２ａ、２ｂ    基材
３、４            暗号化情報形成部
５                検証パターン
６                万線
７                分離部
８、９            暗号化情報
１２              情報
１３              潜像
１４              検証パターン
１５              非潜像パターン
【図１】
0003840944.tif 000002
【図２】
0003840944.tif 000003
【図３】
0003840944.tif 000004
【図４】
0003840944.tif 000005
【図５】
0003840944.tif 000006
【図６】
0003840944.tif 000007